【手続補正書】
【提出日】平成28年6月28日(2016.6.28)
【手続補正１】
【補正対象書類名】明細書
【補正対象項目名】０００９
【補正方法】変更
【補正の内容】
【０００９】
本発明は、画像データの表示順の変更操作に応じて、画像データに対応するマップ上の位置から、次の表示順の画像データに対応するマップ上の位置がどの方向にあるかを視覚的にわかりやすく表示させる仕組みを提供することを目的とする。
【手続補正２】
【補正対象書類名】明細書
【補正対象項目名】００１０
【補正方法】変更
【補正の内容】
【００１０】
本発明は、画像データと、画像データに対応するマップ上の位置の情報を記憶管理するサーバと、複数の前記画像データを順次表示する画像データ表示手段を備える情報処理装置とを含む情報処理システムであって、前記画像データ表示手段で表示する画像データに対応するマップ上の位置から、前記画像データ表示手段で当該画像データの次に表示する画像データに対応するマップ上の位置がどの方向にあるかを視認可能なオブジェクトをマップ上に表示すべく制御する第１の表示制御手段と、前記画像データ表示手段により画像データを表示する表示順を示す、前記画像データの一覧を表示すべく制御する第２の表示制御手段と、前記第２の表示制御手段により表示された画像データの一覧において、前記表示順を変更する変更操作を受け付ける変更操作受付手段と、前記変更操作受付手段により受け付けた変更操作に応じて、前記画像データの一覧における表示順を変更する表示順変更手段と、を備え、前記第１の表示制御手段は、前記変更操作受付手段により前記一覧において画像データの表示順の変更操作を受け付けた場合に、前記表示順変更手段による変更後の画像データの表示順に従って、前記変更操作受付手段により表示順の変更操作を受け付けた画像データに対応するマップ上の位置から、前記画像データ表示手段により当該画像データの次に表示される画像データに対応するマップ上の位置がどの方向にあるかを視認可能となるように、前記オブジェクトの表示を変更することを特徴とする。
【手続補正３】
【補正対象書類名】明細書
【補正対象項目名】００１１
【補正方法】変更
【補正の内容】
【００１１】
本発明によれば、画像データの表示順の変更操作に応じて、画像データに対応するマップ上の位置から、次の表示順の画像データに対応するマップ上の位置がどの方向にあるかを視覚的にわかりやすく表示させる仕組みを提供することが可能になる。
【手続補正４】
【補正対象書類名】特許請求の範囲
【補正対象項目名】全文
【補正方法】変更
【補正の内容】
【特許請求の範囲】
【請求項１】
画像データと、画像データに対応するマップ上の位置の情報を記憶管理するサーバと、複数の前記画像データを順次表示する画像データ表示手段を備える情報処理装置とを含む情報処理システムであって、
前記画像データ表示手段で表示する画像データに対応するマップ上の位置から、前記画像データ表示手段で当該画像データの次に表示する画像データに対応するマップ上の位置がどの方向にあるかを視認可能なオブジェクトをマップ上に表示すべく制御する第１の表示制御手段と、
前記画像データ表示手段により画像データを表示する表示順を示す、前記画像データの一覧を表示すべく制御する第２の表示制御手段と、
前記第２の表示制御手段により表示された画像データの一覧において、前記表示順を変更する変更操作を受け付ける変更操作受付手段と、
前記変更操作受付手段により受け付けた変更操作に応じて、前記画像データの一覧における表示順を変更する表示順変更手段と、
を備え、
前記第１の表示制御手段は、前記変更操作受付手段により前記一覧において画像データの表示順の変更操作を受け付けた場合に、前記表示順変更手段による変更後の画像データの表示順に従って、前記変更操作受付手段により表示順の変更操作を受け付けた画像データに対応するマップ上の位置から、前記画像データ表示手段により当該画像データの次に表示される画像データに対応するマップ上の位置がどの方向にあるかを視認可能となるように、前記オブジェクトの表示を変更することを特徴とする情報処理システム。
【請求項２】
前記オブジェクトは、前記画像データ表示手段で表示される画像データに対応するマップ上の位置を前記表示順に繋ぐラインであって、
前記第１の表示制御手段は、前記変更操作受付手段により前記一覧において画像データの表示順の変更操作を受け付けた場合に、前記表示順変更手段による変更後の画像データの表示順に従って、表示順の変更操作を受け付けた画像データに対応するマップ上の位置から、当該画像データの直後の表示順の画像データに対応するマップ上の位置がどの方向にあるかを視認可能とするように、当該２つのマップ上の位置を繋ぐように前記ラインの表示を変更することを特徴とする請求項１に記載の情報処理システム。
【請求項３】
前記マップの縮尺を決定する縮尺決定手段と、
前記画像データ表示手段で表示された画像データの位置から、前記画像データ表示手段で次に表示する画像データの位置までのマップを、前記縮尺決定手段により決定された縮尺でスライドさせて表示するマップ表示制御手段と、
を備え、
前記画像データ表示手段は、前記マップ表示制御手段により次に表示する画像データの位置までマップがスライドされて表示された後に、当該スライド後の位置の画像データであって、当該次に表示する画像データを表示画面に表示することを特徴とする請求項１又は２に記載の情報処理システム。
【請求項４】
前記第１の表示制御手段は、前記画像データ表示手段により表示する複数の画像データの位置を含む前記マップを表示すべく制御することを特徴とする請求項１乃至３のいずれか１項記載の情報処理システム。
【請求項５】
画像データと、画像データに対応するマップ上の位置の情報を記憶管理するサーバと、複数の前記画像データを順次表示する画像データ表示手段を備える情報処理装置とを含む情報処理システムの制御方法であって、
前記画像データ表示手段で表示する画像データに対応するマップ上の位置から、前記画像データ表示手段で当該画像データの次に表示する画像データに対応するマップ上の位置がどの方向にあるかを視認可能なオブジェクトをマップ上に表示すべく制御する第１の表示制御工程と、
前記画像データ表示手段により画像データを表示する表示順を示す、前記画像データの一覧を表示すべく制御する第２の表示制御工程と、
前記第２の表示制御工程により表示された画像データの一覧において、前記表示順を変更する変更操作を受け付ける変更操作受付工程と、
前記変更操作受付工程により受け付けた変更操作に応じて、前記画像データの一覧における表示順を変更する表示順変更工程と、
を含み、
前記第１の表示制御工程は、前記変更操作受付工程により前記一覧において画像データの表示順の変更操作を受け付けた場合に、前記表示順変更工程による変更後の画像データの表示順に従って、前記変更操作受付工程により表示順の変更操作を受け付けた画像データに対応するマップ上の位置から、前記画像データ表示手段により当該画像データの次に表示される画像データに対応するマップ上の位置がどの方向にあるかを視認可能となるように、前記オブジェクトの表示を変更することを特徴とする情報処理システムの制御方法。
【請求項６】
画像データと、画像データに対応するマップ上の位置の情報を記憶管理するサーバと、複数の前記画像データを順次表示する画像データ表示手段を備える情報処理装置とを含む情報処理システムを制御するプログラムであって、
前記情報処理システムを、
前記画像データ表示手段で表示する画像データに対応するマップ上の位置から、前記画像データ表示手段で当該画像データの次に表示する画像データに対応するマップ上の位置がどの方向にあるかを視認可能なオブジェクトをマップ上に表示すべく制御する第１の表示制御手段と、
前記画像データ表示手段により画像データを表示する表示順を示す、前記画像データの一覧を表示すべく制御する第２の表示制御手段と、
前記第２の表示制御手段により表示された画像データの一覧において、前記表示順を変更する変更操作を受け付ける変更操作受付手段と、
前記変更操作受付手段により受け付けた変更操作に応じて、前記画像データの一覧における表示順を変更する表示順変更手段として機能させ、
前記第１の表示制御手段は、前記変更操作受付手段により前記一覧において画像データの表示順の変更操作を受け付けた場合に、前記表示順変更手段による変更後の画像データの表示順に従って、前記変更操作受付手段により表示順の変更操作を受け付けた画像データに対応するマップ上の位置から、前記画像データ表示手段により当該画像データの次に表示される画像データに対応するマップ上の位置がどの方向にあるかを視認可能となるように、前記オブジェクトの表示を変更することを特徴とする情報処理システムのプログラム。
【請求項７】
画像データと、画像データに対応するマップ上の位置の情報を記憶管理するサーバと通信可能な、複数の前記画像データを順次表示する画像データ表示手段を備える情報処理装置であって、
前記画像データ表示手段で表示する画像データに対応するマップ上の位置から、前記画像データ表示手段で当該画像データの次に表示する画像データに対応するマップ上の位置がどの方向にあるかを視認可能なオブジェクトをマップ上に表示すべく制御する第１の表示制御手段と、
前記画像データ表示手段により画像データを表示する表示順を示す、前記画像データの一覧を表示すべく制御する第２の表示制御手段と、
前記第２の表示制御手段により表示された画像データの一覧において、前記表示順を変更する変更操作を受け付ける変更操作受付手段と、
前記変更操作受付手段により受け付けた変更操作に応じて、前記画像データの一覧における表示順を変更する表示順変更手段と、
を備え、
前記第１の表示制御手段は、前記変更操作受付手段により前記一覧において画像データの表示順の変更操作を受け付けた場合に、前記表示順変更手段による変更後の画像データの表示順に従って、前記変更操作受付手段により表示順の変更操作を受け付けた画像データに対応するマップ上の位置から、前記画像データ表示手段により当該画像データの次に表示される画像データに対応するマップ上の位置がどの方向にあるかを視認可能となるように、前記オブジェクトの表示を変更することを特徴とする情報処理装置。
【請求項８】
画像データと、画像データに対応するマップ上の位置の情報を記憶管理するサーバと通信可能な、複数の前記画像データを順次表示する画像データ表示手段を備える情報処理装置の制御方法であって、
前記画像データ表示手段で表示する画像データに対応するマップ上の位置から、前記画像データ表示手段で当該画像データの次に表示する画像データに対応するマップ上の位置がどの方向にあるかを視認可能なオブジェクトをマップ上に表示すべく制御する第１の表示制御工程と、
前記画像データ表示手段により画像データを表示する表示順を示す、前記画像データの一覧を表示すべく制御する第２の表示制御工程と、
前記第２の表示制御工程により表示された画像データの一覧において、前記表示順を変更する変更操作を受け付ける変更操作受付工程と、
前記変更操作受付工程により受け付けた変更操作に応じて、前記画像データの一覧における表示順を変更する表示順変更工程と、
を含み、
前記第１の表示制御工程は、前記変更操作受付工程により前記一覧において画像データの表示順の変更操作を受け付けた場合に、前記表示順変更工程による変更後の画像データの表示順に従って、前記変更操作受付工程により表示順の変更操作を受け付けた画像データに対応するマップ上の位置から、前記画像データ表示手段により当該画像データの次に表示される画像データに対応するマップ上の位置がどの方向にあるかを視認可能となるように、前記オブジェクトの表示を変更することを特徴とする情報処理装置の制御方法。
【請求項９】
画像データと、画像データに対応するマップ上の位置の情報を記憶管理するサーバと通信可能な、複数の前記画像データを順次表示する画像データ表示手段を備える情報処理装置を制御するプログラムであって、
前記情報処理装置を、
前記画像データ表示手段で表示する画像データに対応するマップ上の位置から、前記画像データ表示手段で当該画像データの次に表示する画像データに対応するマップ上の位置がどの方向にあるかを視認可能なオブジェクトをマップ上に表示すべく制御する第１の表示制御手段と、
前記画像データ表示手段により画像データを表示する表示順を示す、前記画像データの一覧を表示すべく制御する第２の表示制御手段と、
前記第２の表示制御手段により表示された画像データの一覧において、前記表示順を変更する変更操作を受け付ける変更操作受付手段と、
前記変更操作受付手段により受け付けた変更操作に応じて、前記画像データの一覧における表示順を変更する表示順変更手段として機能させ、
前記第１の表示制御手段は、前記変更操作受付手段により前記一覧において画像データの表示順の変更操作を受け付けた場合に、前記表示順変更手段による変更後の画像データの表示順に従って、前記変更操作受付手段により表示順の変更操作を受け付けた画像データに対応するマップ上の位置から、前記画像データ表示手段により当該画像データの次に表示される画像データに対応するマップ上の位置がどの方向にあるかを視認可能となるように、前記オブジェクトの表示を変更することを特徴とする情報処理装置のプログラム。